(57)【特許請求の範囲】
【請求項１】
各印字内容ごとに設けられた複数個の要素印判（１）〜（４）を接合して構成される組み合わせ印であって、
各要素印判（１）〜（４）は、平行な一対の接合面（５）・（５）を有する印判本体（６）と、印判本体（６）に固定されるゴム印字体（７）とを備えており、
各接合面（５）・（５）に、隣接する要素印判（１）〜（４）どうしを上下方向にのみ相対変位可能に連結する連結体（８）・（９）と、互いに接合された要素印判（１）〜（４）の上下方向のずれを調整する位置調整機構（Ｊ）とが設けられており、
位置調整機構（Ｊ）が、一方の接合面（５）に設けた軸（１４）で回転可能に軸支される偏心カム（１１）と、他方の接合面（５）に設けられて、偏心カム（１１）の調整カム面（１６）に外接する受面（１３）とで構成されていることを特徴とする組み合わせ印。
【請求項２】
一対の連結体（８）・（９）が、突起と、突起を受け入れる凹部とで構成されており、
凹部の上下寸法が突起の上下寸法より大きく設定してある請求項１記載の組み合わせ印。
【請求項３】
偏心カム（１１）が複数対の対向辺部を備えている多角形体に形成されており、
対向辺部のそれぞれに調整カム面（１６）が設けてある請求項１または２記載の組み合わせ印。
【請求項４】
印判本体（６）の他方の接合面（５）に、偏心カム（１１）を受け入れる係合凹部（１２）が設けられており、
係合凹部（１２）の上下に一対の受面（１３）・（１３）が設けられており、
両受面（１３）・（１３）の対向間隔と、対を為す偏心カム（１１）の調整カム面（１６）の対向間隔とが一致している請求項３記載の組み合わせ印。
【請求項５】
偏心カム（１１）が奇数個の辺部を備えている多角形体として形成されており、
偏心カム（１１）の各頂部のそれぞれに調整カム面（１６）が設けてある請求項１または２記載の組み合わせ印。
【請求項６】
偏心カム（１１）の調整カム面（１６）は、カム中心からの半径値が徐々に変化する円弧面に形成してある請求項１または２記載の組み合わせ印。  
【発明の詳細な説明】
【０００１】
【発明の属する技術分野】
この発明は、複数個の要素印判で構成される組み合わせ印に関する。個々の要素印判には、住所、氏名、法人名、電話番号等を印字するためのゴム印字体が設けられたものである。
【０００２】
【従来の技術】
この種の印判は実開昭５６−１７１２５０号公報、同５８−１６８４４８号公報、同５９−８２７５３号公報などに公知である。組み合わせ印を構成する個々の要素印判は、タイル状のプラスチックブロックからなる印判本体と、その下端面に固定されるゴム印字体とからなり、印判本体の接合面の一方に嵌合突起を設け、他方の接合面に嵌合凹部を設けてある。
【０００３】
【発明が解決しようとする課題】
組み合わせ印は、複数個の要素印判を接合して１個の印判を構成する。そのため、各要素印判を接合した状態において、個々のゴム印字体の印面位置にばらつきを生じやすく、全ての印字内容が１個のゴム印字体に形成してある単体型のゴム印に比べて、印字品質が劣る傾向にある。そのため、例えば特定の要素印判の印字文字がかすれたり、にじんだりしやすい。
【０００４】
組み合わせ印は、個々の要素印判ごとに、住所や氏名、電話等が配分されている。従って、住居表示や電話番号が変わった場合には、該当する要素印判のみを交換して、あるいはゴム印字体を付け換えることにより、印字内容を低コストで更新できる。しかし、こうした部分更新を行う場合には、更新されたゴム印字体と他のゴム印字体との厚みに差が生じて印面位置が不揃いになりやすく、先の印字品質の低下が顕著にあらわれやすかった。そのため、部分更新を行う場合には、更新対象以外の要素印判も預かって、印面位置を再調整せざるを得ず、そのための手間や預かり品の管理が煩雑であった。因みに、ゴム印字体を付け換える場合には、新規なゴム印字体を幾分薄めに形成しておいて、これにスペーサーを加えながら、印面位置を揃えねばならず、一連の作業に多くの手間を要していた。
【０００５】
この発明の目的は、互いに接合される要素印判の上下位置を変更調整でき、従って組み合わせ印としたときの各要素印判の印面位置を面一に揃えて、単体型のゴム印と同程度の良好な印字品質を発揮できる組み合わせ印を提供することにある。この発明の目的は、偏心カムを調整要素とする位置調整機構を備えており、偏心カムを調整操作するだけで、接合相手となる要素印判との上下位置を相対的に上下調整でき、従って新規の組み合わせ印の印面調整を行う場合はもちろんのこと、要素印判の部分更新を行う場合においても、印面調整が販売店やユーザー自身で簡単に行える組み合わせ印を提供することにある。
【０００６】
この発明の目的は、接合相手側の要素印判を上方向と下方向のいずれの側にも調整した状態で連結でき、その分調整範囲を拡大できる組み合わせ印を提供することにある。
【０００７】
【課題を解決するための手段】
この発明の組み合わせ印は、図１に示すごとく住所、氏名、電話番号等の各印字内容ごとに設けられた複数個の要素印判１〜４を接合して構成する。各要素印判１〜４は、平行な一対の接合面５・５を有する印判本体６と、印判本体６に固定されるゴム印字体７とを備えている。各接合面５・５には、隣接する要素印判１〜４どうしを上下方向にのみ相対変位可能に連結する連結体８・９と、互いに接合された要素印判１〜４の上下方向のずれを調整する位置調整機構Ｊとが設けてある。
【０００８】
その位置調整機構Ｊは、一方の接合面５に設けた軸１４で回転可能に軸支される偏心カム１１と、他方の接合面５に設けられて、偏心カム１１の調整カム面１６に外接する受面１３とで構成してある。一対の連結体８・９は、突起と突起を受け入れる凹部とで構成し、凹部の上下寸法を突起の上下寸法より大きく設定する。
【０００９】
偏心カム１１は、図５に示すごとく複数対の対向辺部を備えている多角形体として形成し、対向辺部のそれぞれに調整カム面１６を設ける。別の偏心カム１１は図５に示すごとく奇数個の辺部を備えている多角形体として形成し、各頂部のそれぞれに調整カム面１６を設ける。さらに別の偏心カム１１においては、その調整カム面１６を、カム中心からの半径値が徐々に変化する円弧面で形成することができる。
【００１０】
一方の接合面５に偏心カム１１を突設し、他方の接合面５には偏心カム１１を受け入れる係合凹部１２を設ける。係合凹部１２の上下には一対の受面１３・１３を設ける。両受面１３・１３の対向間隔と、対を為す調整カム面１６の対向間隔とを一致させる。
【００１１】
【作用および発明の効果】
各要素印判１〜４を接合した状態において、隣接する要素印判１〜４どうしは、対を為す連結体８・９を介して連結状態が維持されており、さらに位置調整機構Ｊを介して上下方向に位置決めされている。この接合状態において、組み合わせ印を捺印することにより、個々の要素印判１〜４の印字状態、即ちかすれやにじみの有無を確認できる。かすれやにじみを生じている要素印判は、連結相手の要素印判に対して、位置調整機構Ｊで上下調整することにより、全ての要素印判１〜４の印面位置を面一に揃えて、組み合わせ印の印字品質を向上できる。
【００１２】
回転可能に軸支した偏心カム１１と、その調整カム面１６に外接する受面１３とで構成した位置調整機構Ｊによれば、偏心カム１１を軸１４まわりに回転操作するだけの簡単な操作で、各要素印判１〜４を接合したときの上下位置を変更調整できる。従って、新規の組み合わせ印の印面調整はもちろんのこと、要素印判１〜４を部分更新する場合においても、印面調整が簡単に行える。とくに要素印判１〜４を部分更新する際の印面調整が、販売店やユーザー自身の手で行えるので、メーカーと販売店との間の組み合わせ印のやりとりを廃止できる分だけ、部分更新に要する手間やコストを削減できる。長期使用に伴うゴム印字体７の劣化等によって印面位置が不揃いになる場合にも、その調整を販売店やユーザーで行うことができる。
【００１３】
偏心カム１１を複数対の対向辺部を有する多角形体で形成すると、少なくとも４個の調整カム面１６が得られるので、その分だけきめ細かに微調整できる。また、受面１３と調整カム面１６とが面接合して位置調整を行うので、調整後の寸法のばらつきがない、さらに、対向する調整カム面１６・１６を一対の受面１３・１３と接当係合すると、連結後に隣接する要素印判１〜４が上下にずれ動くのを阻止して、使用途中に印面がずれるのをよく防止できる。
【００１４】
偏心カム１１を奇数個の辺部を有する多角形体で形成し、その頂部のそれぞれを調整カム面１６とした組み合わせ印判によれば、各調整カム面１６と受面１３とが一個所においてのみ接当するので、両者１３・１６の間にスペーサを介装して、印面位置を微量調整することができる。
【００１５】
調整カム面１６を円弧面で形成した組み合わせ印判によれば、隣接する要素印判１〜４の印面位置を無段階状に調整できる。
【００１６】
【実施例】
（実施例１）
図１ないし図４はこの発明に係る組み合わせ印の実施例を示す。組み合わせ印は、複数個の要素印判１〜４を接合して構成する。各要素印判１〜４は、平行な一対の接合面５・５を有する印判本体６と、その下端面に接着固定されるゴム印字体７とからなる。ゴム印字体７に形成される印字内容の違いに応じて、印判本体６およびゴム印字体７の前後幅寸法（接合面５間の寸法）は異なっているが、他の構造は同じとされる。
【００１７】
印判本体６は四角形タイル状のプラスチック成形品からなり、各接合面５・５のそれぞれに、隣接する要素印判１〜４どうしを連結する雌雄一対の連結体８・９が設けられている。具体的には、一方の接合面５の左右両側に縦長リブ状の一対の突起を設けて片方の連結体８とし、他方の接合面５の左右両側に縦長の一対の凹部を設けて他方の連結体９とする。突起からなる連結体８を接合相手の連結体９に嵌め込むことにより、隣接する要素印判１〜４どうしを次々に連結できる。印判本体６の接合面５の周縁には、接合した要素印判１〜４の分離を容易化する切欠１０を設ける。
【００１８】
連結状態における、各印判１〜４の印面位置を面一に揃えるために、位置調整機構Ｊを設け、さらに凹凸嵌合する一対の連結体８・９を上下方向へ相対変位可能に構成する。具体的には、凹部からなる連結体９の上下長は、突起からなる連結体８の上下長より数mmだけ大きく寸法設定して、互いに嵌係合する連結体８・９を上下いずれの方向へも相対変位できるようにしている。
【００１９】
図１において位置調整機構Ｊは、一方の接合面５に配置される偏心カム１１と他方の接合面５に凹み形成した四角形状の係合凹部１２の上下一対の受面１３・１３とで構成する。偏心カム１１はプラスチック成形品からなる六角形状のプレートからなり、その中央が接合面５に突設した軸１４で回転可能に軸支されて、軸１４の突設に固定した止片１５で抜け止め保持されている。係合凹部１２の中央には止片１５を受け入れる凹部を設けておく。
【００２０】
六角形に形成した偏心カム１１の各辺部は、それぞれ調整カム面１６になっており、どの調整カム面１６が一対の受面１３と係合するかによって、隣接する要素印判１〜４の印面位置を大小に調整できるようにしてある。即ち、一対の受面１３の上下間隔と、偏心カム１１の３組の対向辺部の対向間隔との基準寸法を同一寸法にしたうえで、対向する３組の調整カム面１６の、軸１４の中心からの距離Ｒ（図２参照）が各組ごとに異なるようになっている。具体的には、図４に示すように先の基準寸法を３８mmとするとき、１組は距離Ｒを１９mmと１９mmとに設定し、次の組は距離Ｒを１8.８mmと１9.２mmとに設定し、残る組の距離Ｒを１8.６mmと１9.４mmとしている。符号１７は、偏心カム１１の各頂部の出っ張りを避けるための逃げ凹部である。
【００２１】
以上のように構成した組み合わせ印判によれば、偏心カム１１のどの対向辺部を一対の受面１３と係合させるかによって、隣接する要素印判１〜４の印面のばらつきを調整できる。基本的には、距離Ｒが１９mmと１９mmとに設定してある調整カム面１６を上下に位置させて各要素印判１〜４を連結し、この状態で捺印してみる。その結果、ある特定の要素印判のみがかすれていた場合には、その印判の係合凹部１２と嵌合する偏心カム１１を操作して、例えば、距離Ｒが１8.８mmの調整カム面１６を上面にして要素印判どうしを連結して、かすれを生じていた特定の要素印判を下方修正する。実際には、下方修正すべき特定の要素印判の上下位置が変わると、その影響が隣接する要素印判に及ぶので、特定の要素印判に付属する偏心カム１１は、距離Ｒが１9.２mmの調整カム面１６が上面にくるように位置補正しておく。
【００２２】
捺印の結果、ある特定の要素印判のみがにじみを生じていた場合には、上記の場合とは逆にその印判を上方へ位置修正する。この位置修正作業等を容易化するために、各対向辺部に、±０、＋0.２、−0.２、＋0.４、−0.４のように、調整量の目安を表示しておくことができる。
【００２３】
（実施例２）
上記の実施例では、偏心カム１１を複数対の対向辺部を備えている多角形に形成したが、図５に示すように、奇数個の辺部を備えている多角形状に形成してもよい。具体的には、偏心カム１１の基本形状を三角形とし、その各頂部を丸めてそれぞれ調整カム面１６とした。この場合には、軸１４の中心から各調整カム面１６までの距離Ｒを、１９mm、１8.８mm、１8.６mmとした。また、係合凹部１２を円形凹部で形成し、その直径寸法を３８mm（基準寸法）とした。この場合には、先の調整カム面１６が係合凹部１２の上側の受面１３で当るか、下側の受面で当るかによって、互いに連結される要素印判１〜４の上下の位置調整を行える。他は先の実施例と同じであるので、同じ部材に同じ符号を付して説明を省略する。
【００２４】
上記の実施例以外に、調整カム面１６は距離Ｒが連続して徐々に増加する円弧面で形成することができる。この場合の受面１３は必ずしも水平である必要はなく傾斜していてもよい。一方の接合面５に上下一対の突起を設けておき、その上下対向面を受面１３とすることができる。この場合には、他方の接合面５に係合凹部を設けておき、接合面５・５どうしを連結した状態において、突起が係合凹部内に入り込むようにする。組み合わせ印は２個以上の要素印判１〜４を連結するものであれば、その個数は何個であってもよい。
【図面の簡単な説明】
【図１】組み合わせ印の斜視図である。
【図２】要素印判の正面図である。
【図３】要素印判の接合構造を示す断面図である。
【図４】偏心カムの詳細構造を示す正面図である。
【図５】偏心カムの別の実施例を示す正面図である。
【符号の説明】
１・２・３・４  要素印判
５  接合面
６  印判本体
７  ゴム印字体
８  連結体（突起）
９  連結体（凹部）
１１  偏心カム
１２  係合凹部
１３  受面
１６  調整カム面
Ｊ  位置調整機構
【図１】
0003642396.tif 000002
【図２】
0003642396.tif 000003
【図３】
0003642396.tif 000004
【図４】
0003642396.tif 000005
【図５】
0003642396.tif 000006